(57)【特許請求の範囲】
【請求項１】
用紙に情報を印字する印字部と、
第１電力を前記印字部に供給する二次電池と、
外部の非接触給電器と機械的な接続のない非接触状態であって、前記非接触給電器から電力を受給して、前記第１電力より小さな第２電力を前記印字部に供給する非接触受電部と、
前記二次電池に充電されている電力が充分である場合は前記二次電池から前記印字部に前記第１電力を供給し、前記二次電池に充電されている電力が不足している場合は前記非接触受電部から前記第２電力を前記印字部に供給する電力制御手段と、
前記第１電力の供給により実行可能な第１印字形態で前記用紙に前記情報を印字させ、前記第２電力の供給により実行可能であって前記第１印字形態より消費電力が小さい第２印字形態で、前記用紙に前記情報を印字させる印字制御手段と、
を備えた印字装置。
【請求項２】
前記電力制御手段は、前記二次電池の電圧が所定電圧以上であれば前記二次電池に充電されている電力が充分であるとして前記二次電池から前記印字部に前記第１電力を供給し、前記二次電池の電圧が所定電圧未満であれば前記二次電池が充電されている電力が不足しているとして前記第２電力を前記印字部に供給する、
請求項１に記載の印字装置。
【請求項３】
前記電力制御手段は、前記二次電池に充電されている電力が不足している場合は前記二次電池から前記印字部への前記第１電力の供給を停止する、
請求項１または２に記載の印字装置。
【請求項４】
前記印字部は、温度変化によって前記用紙に熱を伝達して印字するサーマルヘッドを備え、
前記第１印字形態は、前記第１電力が供給されることで、高速に搬送される前記用紙に対して前記サーマルヘッドに対して大きな電力を供給して前記用紙に前記情報を印字する高速印字であり、
前記第２印字形態は、前記第２電力が供給されることで、低速に搬送される前記用紙に対して前記サーマルヘッドに対して大きな電力を供給せずに前記用紙に前記情報を印字する低速印字である、
請求項１乃至３のいずれか一に記載の印字装置。
【請求項５】
前記二次電池は充電が可能であり、
前記電力制御手段は、前記二次電池を充電する、
請求項１乃至４のいずれか一に記載の印字装置。
【請求項６】
用紙に情報を印字する印字部と、第１電力を前記印字部に供給する二次電池と、外部の非接触給電器と機械的な接続のない非接触状態であって前記非接触給電器から電力を受給して前記第１電力より小さな第２電力を前記印字部に供給する非接触受電部と、を備えた印字装置を、コンピュータを用いて制御するためのプログラムであって、
前記コンピュータを、
前記二次電池に充電されている電力が充分である場合は前記二次電池から前記印字部に前記第１電力を供給し、前記二次電池に充電されている電力が不足している場合は前記非接触受電部から前記第２電力を前記印字部に供給する電力制御手段と、
前記第１電力の供給により実行可能な第１印字形態で前記用紙に前記情報を印字させ、前記第２電力の供給により実行可能であって前記第１印字形態より消費電力が小さい第２印字形態で、前記用紙に前記情報を印字させる印字制御手段と、
して機能させるためのプログラム。
【発明の詳細な説明】
【技術分野】
【０００１】
本発明の実施形態は、印字装置およびプログラムに関する。
【背景技術】
【０００２】
近年、電源ケーブルを使用せずに装置に電力を送る非接触給電システムが登場してきている。非接触給電システムは、ＰＣ（Personal  Computer）、ＰＯＳ（Point  of  Sales）端末、および印字装置をはじめとする周辺機器などに対して、例えば電磁界の共鳴現象等を利用して非接触状態で電力を供給するものである。
【０００３】
ところで、非接触給電システムにおいて、例えば情報を用紙に印字する印字装置では、印字処理時に大きな電力を消費する。特に高速で印字する場合や印字率が高い場合は、印字装置に短時間に大きな電流（ピーク電流）を供給することが必要となる。しかしながら、非接触給電システムでは、印字装置にピーク電流に対応できる程の大きな電力を供給することができない。そのため、印字装置は、ピーク電流を供給することができる二次電池を搭載して、この二次電池に充電した大きな電力を供給して印字処理におけるピーク電流供給時に対応している。
【０００４】
しかしながら、印字装置が印字する際、または印字中に、二次電池に充電された電力が不足した場合、当該二次電池が充電されるまで印字を待機しなければならないという問題があった。
【発明の概要】
【発明が解決しようとする課題】
【０００５】
本発明が解決しようとする課題は、二次電池に充電された電力が不足した場合であっても、当該二次電池の充電を待たずに印字が行える印字装置およびプログラムを提供することである。
【課題を解決するための手段】
【０００６】
実施形態の印字装置は、用紙に情報を印字する印字部と、第１電力を前記印字部に供給する二次電池と、外部の非接触給電器と機械的な接続のない非接触状態であって、前記非接触給電器から電力を受給して、前記第１電力より小さな第２電力を前記印字部に供給する非接触受電部と、前記二次電池に充電されている電力が充分である場合は前記二次電池から前記印字部に前記第１電力を供給し、前記二次電池に充電されている電力が不足している場合は前記非接触受電部から前記第２電力を前記印字部に供給する電力制御手段と、前記第１電力の供給により実行可能な第１印字形態で前記用紙に前記情報を印字させ、前記第２電力の供給により実行可能であって前記第１印字形態より消費電力が小さい第２印字形態で、前記用紙に前記情報を印字させる印字制御手段と、を備える。
【０００７】
実施形態のプログラムは、用紙に情報を印字する印字部と、第１電力を前記印字部に供給する二次電池と、外部の非接触給電器と機械的な接続のない非接触状態であって前記非接触給電器から電力を受給して前記第１電力より小さな第２電力を前記印字部に供給する非接触受電部と、を備えた印字装置を、コンピュータを用いて制御するためのプログラムであって、前記コンピュータを、前記二次電池に充電されている電力が充分である場合は前記二次電池から前記印字部に前記第１電力を供給し、前記二次電池に充電されている電力が不足している場合は前記非接触受電部から前記第２電力を前記印字部に供給する電力制御手段と、前記第１電力の供給により実行可能な第１印字形態で前記用紙に前記情報を印字させ、前記第２電力の供給により実行可能であって前記第１印字形態より消費電力が小さい第２印字形態で、前記用紙に前記情報を印字させる印字制御手段と、して機能させる。
【図面の簡単な説明】
【０００８】
【図１】図１は、第１実施形態における非接触給電システムを示す図である。
【図２】図２は、印字装置の側断面を示す断面図である。
【図３】図３は、印字装置の各部への給電の仕組みを示す概略図である。
【図４】図４は、印字装置のハードウェア構成を示すブロック図である。
【図５】図５は、印字装置の機能構成を示す機能ブロック図である。
【図６】図６は、印字装置の制御処理の流れを示すフローチャートである。
【図７】図７は、第２実施形態における印字装置の各部への給電の仕組みを示す概略図である。
【図８】図８は、第２実施形態における電池残量判別回路の制御処理の流れを示すフローチャートである。
【図９】図９は、第２実施形態における印字装置の制御処理の流れを示すフローチャートである。
【発明を実施するための形態】
【０００９】
（第１実施形態）
以下、図１〜図６を参照して、第１実施形態に係る印字装置およびプログラムについて詳細に説明する。なお、以下に説明する実施形態によりこの発明が限定されるものではない。
【００１０】
図１は、実施形態の印字装置を含む非接触給電システムを示す図である。非接触給電システム１は、ＰＯＳ端末１０と、ＰＯＳ端末１０に接続される周辺機器としての印字装置８０、スキャナ４０、表示器５０と、紙幣及び硬貨の釣銭機６０とを備える。非接触給電システム１は、ＰＯＳ端末１０と、周辺機器である、印字装置８０、スキャナ４０、表示器５０および釣銭機６０とを、相互に、例えばブルートゥース（登録商標）やＷｉ−Ｆｉ（Wireless  Fidelity）等の無線で通信可能に接続している。
【００１１】
ＰＯＳ端末１０は、商品販売データ処理を実行する情報処理装置である。印字装置８０は、レシート用紙等の所定の用紙に、ＰＯＳ端末１０から送信された、取引された商品の商品情報や決済情報を印字するプリンタである。印字装置８０は、印字部としてサーマルヘッドを備えている。サーマルヘッドは、ライン状に配置した発熱素子を発熱させて、用紙である感熱紙に熱を伝達する。感熱紙は、サーマルヘッドに対向して設けられたプラテン等によって搬送されながら、サーマルヘッドから伝達された熱によって発色する。このようにして印字装置８０は用紙に印字を行う。
【００１２】
サーマルヘッドは、高速に印字を行う場合、あるいは印字率（印字密度のこと）が高い印字を行う場合、発熱素子を短時間で高熱にする必要がある。この場合、サーマルヘッドは、大きな電力の供給を受けて定格値を超える大きな電流（以降「ピーク電流」という）を発熱素子に流している。
【００１３】
スキャナ４０は、コード化された商品コードを光学的に読み取るコードスキャナである。表示器５０は、ＰＯＳ端末１０を操作するオペレータ、または商品を購入した顧客向けに、各種情報を表示する液晶ディスプレイ等の表示装置である。釣銭機６０は、入金された貨幣を収納するとともに、ＰＯＳ端末１０からの命令（出金コマンド）に基づいて貨幣（釣銭）を自動的に出金する自動釣銭機である。なお、これらの周辺機器は、上述の機器に限らない。非接触給電システム１は、上述以外の周辺機器を備えていてもよい。また、非接触給電システム１は、周辺機器を一台以上備えていればよい。
【００１４】
各周辺機器は、外部に設けられた非接触給電器８４（図２を参照）から、非接触状態で電力の供給を受ける。非接触給電器８４は、商用電源等に接続されており、電磁誘導方式、磁界共鳴方式またはその他の方式によって、機械的な接続のない非接触状態で各周辺装置に電力を供給する。実施形態では、磁界共鳴方式を採用して説明する。磁界共鳴方式を用いれば、非接触給電器と各周辺機器とが数センチメートルから２メートル程度離れていても、非接触給電器から各周辺機器に電力を供給できる。
【００１５】
ここで、磁界共鳴方式とは、共鳴現象を利用して非接触により電力を供給する方式である。共鳴現象とは、同じ周波数で振動する物体を近づけて置き、一方の物体を振動させると他方の物体も振動する現象である。磁界共鳴方式では、電力を供給する送電側（非接触給電器）と、電力の供給を受ける受電側（非接触受電部）とに振動させる物体として同一の共振周波数を有するコイルを備える。送電側のコイルは、交流電流が供給されると振動した磁界を生じさせる。この時、受電側のコイルは、送電側のコイルと共振周波数が一致しているため、受電側のコイルの周辺にも磁界を生じさせる。これにより、受電側のコイルは、送電側と機械的な接続のない非接触状態であっても、受電側のコイル内を流れる誘導電流を生じさせる。従って、送電側のコイルは、受電側のコイルに非接触で電力を供給することができる。そして、磁界共鳴方式は、送電側のコイルと、受電側のコイルとは互いに強く結合しているため、コイル間の距離が長くても、高い給電効率を得ることができる。
【００１６】
図２は、周辺機器の一つである印字装置８０を側面から断面した側断面図である。図２において、印字装置８０は、下部ケース２２と上部ケース２１を有しており、上部ケース２１は、下部ケース２２に対してヒンジ２８を支点として回動可能に構成されている。
【００１７】
印字装置８０は、用紙収納部２６、搬送部８１６、印字部８１７を備えている。用紙収納部２６は、印字装置８０の後ろ側（図２の右側）に設けられ、ロール状に巻回された用紙２７（感熱紙）を保持して収納する。用紙２７は、上部ケースを上方へ回動させて開放させた状態で、用紙収納部２６に収納される。搬送部８１６は、プラテン２３、モータ２５、搬送ローラ２９等を有し、用紙収納部２６に収納された用紙２７の先端を引き出し、印字部８１７に向けて搬送する。印字部８１７は、印字装置８０の前側（図２の左側）に設けられ、サーマルヘッド２４を備えている。印字部８１７は、サーマルヘッド２４を含み、サーマルヘッド２４を用いて、搬送部８１６によって搬送された用紙２７に対して印字を行う。また、印字装置８０は、図示しない用紙切断部を備え、印字部８１７で印字した用紙２７をカットする。カットされた用紙２７は、レシートとして発行される。
【００１８】
印字装置８０は、下部ケース２２の内部に、下部ケース２２の底面に固定した非接触受電部８３を備えている。非接触受電部８３は、電力が供給される側のコイルを備える。非接触受電部８３は、非接触状態で非接触給電器８４から電力が供給される。また、印字装置８０は、下部ケース２２内に二次電池８２を備えている。
【００１９】
非接触給電器８４は、印字装置８０の下部ケース２２の下方に、例えば印字装置８０が設置された設置面に設けられている。非接触受電部８３と非接触給電器８４は数センチメートルの距離を置いて機械的な接続のない非接触状態で互いの面がほぼ平行に対向している。非接触給電器８４は、電力を供給する側のコイルおよび商用電源から電力が供給されるプラグ８５を備える。プラグ８５を商用電源に接続すると、非接触給電器８４側のコイルに電流が流れる。すると対向している非接触受電部８３側のコイルに誘導電流が流れる。このようにして、非接触給電器８４は非接触受電部８３に電力を供給する。電力供給は、非接触給電器８４と非接触受電部８３が非接触状態で行われるため、非接触給電器８４から非接触受電部８３に供給される電力はそれほど大きくない。非接触受電部８３は、非接触給電器８４から供給された電力によって、二次電池８２を充電する。また、非接触受電部８３は、非接触給電器８４から供給された電力の全部または一部を使用して、ハードウェア８１に電力を供給する。
【００２０】
次に、図３を用いて、非接触受電部８３が非接触給電器８４から供給された電力（給電ａの矢印）の各部への供給（給電）について説明する。図３において、印字装置８０は、搬送部８１６、印字部８１７を含めたハードウェア８１（詳細は図４を参照）、二次電池８２、非接触受電部８３を備えている。
【００２１】
二次電池８２は、充電により電気を蓄えることが可能であり、例えば、リチウムイオン電池などから構成される。二次電池８２は、非接触受電部８３からの電力の供給を受けて充電される。二次電池８２は、印字部８１７を含めたハードウェア８１の各装置や回路に電力を供給する。なお、二次電池１６は、リチウムイオン電池以外の種類であってもよい。
【００２２】
印字部８１７が高速に印字する場合や印字率が高い印字を行う場合、二次電池８２から大きな電力をハードウェア８１に供給する必要がある。充電されている電力が充分である二次電池８２は、所定の第１電力をハードウェア８１に供給する（給電ｃの矢印）。第１電力とは、ピーク電流を供給することができる大きい電力をいう。充電されて電力が充分である二次電池８２は、ハードウェア８１に対して第１電力を供給する能力を備えている。一方、充電されている電力が不足している二次電池８２は、ハードウェア８１に対して第１電力を供給することができない。
【００２３】
二次電池８２から所定の第１電力がハードウェア８１に供給されると、後述の制御部８００（図４を参照）の制御のもと、印字装置８０は第１印字形態で印字を行う。第１印字形態とは、少なくとも印字部８１７に第１電力を供給することで、搬送部８１６によって用紙２７を高速で搬送し、また、印字部８１７のサーマルヘッド２４に対してピーク電流を発生させて用紙２７に高速で印字を行う印字形態をいう。
【００２４】
非接触受電部８３は、非接触給電器８４から供給された電力を二次電池８２に供給する（充電ｂの矢印）。また、非接触受電部８３は、非接触給電器８４から供給された電力の全部または一部を使用して、印字部８１７を含めたハードウェア８１に対して電力を供給する（給電ｄの矢印）。この場合、非接触受電部８３は、第２電力をハードウェア８１に供給する。第２電力とは、第１電力より小さい電力をいう。
【００２５】
非接触受電部８３は、非接触給電器８４から非接触状態で電力が供給される（受給）。非接触状態で電力が供給される特性上、非接触受電部８３は、非接触給電器８４から大きな電力の供給を受けることができない。そのため、非接触受電部８３は、ピーク電流を流す第１電力をハードウェア８１に供給することができない。したがって、非接触受電部８３は、非接触給電器８４から非接触状態で供給された電力に基く第２電力をハードウェア８１に供給する。
【００２６】
第２電力が供給されると、後述の制御部８００（図４を参照）の制御のもと、第２印字形態で印字を行う。第２印字形態とは、搬送部８１６および印字部８１７に、第１電力より小さな第２電力を供給する。そして、搬送部８１６によって用紙２７を第１印字形態より低速で搬送しながら印字部８１７のサーマルヘッド２４に対してピーク電流を発生させずに用紙２７に印字を行う印字形態をいう。第２印字形態は、第１印字形態より消費電力が小さい。
【００２７】
次に、図４を用いて、印字装置８０のハードウェア８１について説明する。図４において、印字装置８０は、制御主体となるＣＰＵ（Central  Processing  Unit）８１１、各種プログラムを記憶するＲＯＭ（Read  Only  Memory）８１２、各種データを展開するＲＡＭ（Random  Access  Memory）８１３、各種プログラムを記憶するメモリ部８１４等を備えている。ＣＰＵ８１１、ＲＯＭ８１２、ＲＡＭ８１３、メモリ部８１４は、互いにデータバス８１５を介して接続されている。ＣＰＵ８１１とＲＯＭ８１２とＲＡＭ８１３が、制御部８００を構成する。すなわち、制御部８００は、ＣＰＵ８１１がＲＯＭ８１２やメモリ部８１４に記憶されＲＡＭ８１３に展開された制御プログラム８１４１に従って動作することによって、後述する制御処理を実行する。
【００２８】
メモリ部８１４は、電源を切っても記憶情報が保持されるＨＤＤ（Hard  Disc  Drive）やフラッシュメモリ等の不揮発性メモリで構成され、制御プログラム８１４１を含むプログラム等を記憶する。また、メモリ部８１４は、印字データ部８１４２、基準電圧部８１４３を備えている。
【００２９】
印字データ部８１４２は、商品取引の結果ＰＯＳ端末１０から送信された、用紙２７に印字する商品情報や決済情報等の印字データを記憶する。基準電圧部８１４３は、二次電池８２からハードウェア８１に電力を供給するための基準電圧を記憶する。制御部８００は、基準電圧部８１４３に記憶された基準電圧と二次電池８２の出力電圧とを比較して、二次電池８２の出力電圧が、基準電圧以上であるか、基準電圧未満であるかを監視している。
【００３０】
また、データバス８１５には、コントローラ８１８を介して、搬送部８１６と印字部８１７が接続されている。また、データバス８１５には、無線Ｉ／Ｆ８１９が接続されている。無線Ｉ／Ｆ８１９は、無線通信によってＰＯＳ端末１０と通信可能である。なお、図示しないが、データバス８１５には、印字装置８０の状態やエラー等を示すインジケータや、メッセージ等を示す表示部等も接続されている。これらのインジケータや表示部は、制御部８００の制御のもと、点灯や表示等を実行する。
【００３１】
続いて、図５および図６を用いて、印字装置８０の制御処理について説明する。図５は、印字装置８０の機能構成を示す機能ブロック図である。制御部８００が、ＲＯＭ８１２やメモリ部８１４に記憶された制御プログラム８１４１を含む各種プログラムに従うことで、電力制御手段８０１、印字制御手段８０２を機能させる。
【００３２】
電力制御手段８０１は、二次電池８２に充電されている電力が充分である場合は二次電池８２から印字部８１７に第１電力を供給し、二次電池８２に充電されている電力が不足している場合は非接触受電部８３から第２電力を印字部８１７に供給する機能を有する。
【００３３】
印字制御手段８０２は、第１電力の供給により実行可能な第１印字形態で用紙２７に情報を印字させ、第２電力の供給により実行可能であって第１印字形態より消費電力が小さい第２印字形態で、用紙２７に前記情報を印字させる機能を有する。
【００３４】
図６は、印字装置８０の制御処理の流れを示すフローチャートである。図６において、制御部８００（電力制御手段８０１）は、二次電池８２からハードウェア８１に電力を供給する（Ｓ１１）。この場合、制御部８００が二次電池８２からハードウェア８１に供給する電力は第１電力である。次にＰＯＳ端末１０から印字データを受信したか否かを判断する（Ｓ１２）。印字データを受信したと判断した場合（Ｓ１２のＹｅｓ）、制御部８００は、受信した印字データを印字データ部８１４２に記憶する（Ｓ１３）。
【００３５】
次に制御部８００は、二次電池８２の出力電圧が基準電圧部８１４３に記憶されている基準電圧以上であるか否かを判断する（Ｓ１４）。基準電圧以上であると判断した場合（Ｓ１４のＹｅｓ）、制御部８００（印字制御手段８０２）は、搬送部８１６と印字部８１７に第１電力を供給して、印字部８１７にて第１印字形態の印字処理を実行させる（Ｓ１５）。すなわち制御部８００は、用紙２７を高速で搬送するように搬送部８１６を制御し、必要に応じてピーク電流を発生させて、サーマルヘッド２４によって用紙２７に高速で印字処理を実行するように印字部８１７を制御する。
【００３６】
次に制御部８００は、印字データ部８１４２に記憶されたすべての印字データを印字し印字を終了したか否かを判断する（Ｓ１６）。印字を終了したと判断した場合は（Ｓ１６のＹｅｓ）、制御部８００は、印字した用紙２７を図示しない用紙切断部によってカットする（Ｓ１７）。このようにして制御部８００は、レシートを発行する。一方印字を終了していないと判断した場合は（Ｓ１６のＮｏ）、制御部８００は、Ｓ１５に戻る。
【００３７】
また、二次電池８２の出力電圧が基準電圧未満であると判断した場合は（Ｓ１４のＮｏ）、制御部８００は、二次電池８２からハードウェア８１に供給されている電力を停止する（Ｓ２１）。そして制御部８００（電力制御手段８０１）は、非接触受電部８３からハードウェア８１に直接電力を供給する（Ｓ２２）。ここで制御部８００がハードウェア８１に供給する電力は第２電力である。
【００３８】
次に制御部８００（印字制御手段８０２）は、搬送部８１６と印字部８１７に第２電力を供給して印字部８１７にて第２印字形態の印字処理を実行する（Ｓ２３）。すなわち制御部８００は、用紙２７を低速で搬送するように搬送部８１６を制御し、サーマルヘッド２４に対してピーク電流を発生させずに用紙２７に印字処理を実行するように印字部８１７を制御する。この第２形態での印字処理は、第１形態での印字処理より消費電力が小さい。
【００３９】
次に制御部８００は、印字データ部８１４２に記憶されたすべての印字データを印字し印字を終了したか否かを判断する（Ｓ２４）。印字を終了したと判断した場合は（Ｓ２４のＹｅｓ）、制御部８００は、印字した用紙２７を図示しない用紙切断部によってカットする（Ｓ２５）。そして制御部８００は、Ｓ２２で実行した非接触受電部８３からの電力の供給を停止する（Ｓ２６）。また、印字を終了していないと判断した場合は（Ｓ２４のＮｏ）、制御部８００は、Ｓ２３に戻る。
【００４０】
また、ＰＯＳ端末１０から印字データを受信していないと判断した場合は（Ｓ１２のＮｏ）、制御部８００は、二次電池８２の出力電圧が基準電圧部８１４３に記憶されている基準電圧以上であるか基準電圧未満であるかを判断する（Ｓ３１）。基準電圧未満であると判断した場合は（Ｓ３１のＹｅｓ）、制御部８００は、非接触受電部８３が非接触給電器８４から供給された電力によって、二次電池８２を充電する（Ｓ３２）。そして制御部８００は、Ｓ１１に戻る。また、基準電圧以上であると判断した場合は（Ｓ３１のＮｏ）、制御部８００は、Ｓ１１に戻る。
【００４１】
このような第１実施形態によれば、制御部８００は、二次電池８２の出力電圧が基準電圧部８１４３に記憶された基準電圧以上である場合には、二次電池に充電されている電力が充分であるとして、二次電池８２からハードウェア８１に第１電力を供給する。そして制御部８００は、第１印字形態で印字を実行するように印字部８１７を制御する。一方、制御部８００は、二次電池８２の出力電圧が基準電圧部８１４３に記憶された基準電圧未満である場合には、二次電池に充電されている電力が不足しているとして、非接触受電部８３から直接ハードウェア８１に第２電力を供給する。そして制御部８００は、第２印字形態で印字を実行するように印字部８１７を制御する。そのため、制御部８００は、二次電池から供給する電力が不足した場合であっても、当該二次電池の出力電圧が基準電圧以上となるまで充電されることを待たずに印字処理を実行することができる。
【００４２】
（第２実施形態）
次に、図７〜図９を用いて、第２実施形態について説明する。なお、第２実施形態において、第１実施形態と同一構成については、同一符号を付すか対応する符号を記し、説明を省略する。第２実施形態の特徴は、非接触受電部８３に電池残量判別回路８３１を備え、この電池残量判別回路８３１が二次電池８２の電圧を監視し、電池残量判別回路８３１が二次電池８２からハードウェア８１への電力供給と非接触受電部８３からハードウェア８１への電力供給とを切り替えることである。なお、第２実施形態のハードウェア８１のハードウェア構成は、第１実施形態のハードウェア８１のハードウェア構成（図４）とほぼ同一の構成（基準電圧部８１４３に相当する構成はない）であるため、改めての説明を省略する。
【００４３】
図７は、印字装置の各部への給電の仕組みを示す概略図である。図７において、非接触受電部８３は、電池残量判別回路８３１を備える。電池残量判別回路８３１は、通信回線８７を介してハードウェア８１と電気的に接続されている。通信回線８７は、信号線またはデータバスで構成される。電池残量判別回路８３１は、切換部８３１１、判断部８３１２、基準電圧部８３１３を備える。
【００４４】
基準電圧部８３１３は、二次電池８２からハードウェア８１に電力を供給するか（給電ｃの矢印）、非接触受電部８３からハードウェア８１に電力を供給するか（給電ｄの矢印）を判断するための基準電圧を記憶する。判断部８３１２は、通信回線８６を介して二次電池８２と接続されている。通信回線８６は、信号線またはデータバスで構成される。判断部８３１２は、通信回線８６を介して二次電池８２の電圧を入力することで、二次電池８２の電圧を監視している。判断部８３１２は、二次電池８２から入力された電圧と基準電圧部８３１３に記憶された基準電圧とに基づいて、二次電池８２と非接触受電部８３のどちらから電力を供給するかを判断する。切換部８３１１は、判断部８３１２によって判断された方の電力をハードウェア８１に供給する。供給された電力に基づいて、制御部８００は印字処理を実行する。
【００４５】
また、電池残量判別回路８３１は、通信回線８７を介して、印字が終了したことを示す情報を受信する。電池残量判別回路８３１は、非接触受電部８３からハードウェア８１に電力を供給していた場合、印字終了の情報に基づいて、非接触受電部８３からのハードウェア８１への電力の供給を停止する。
【００４６】
次に、図８のフローチャートを用いて、第２実施形態における電池残量判別回路８３１の各部の制御処理の流れを説明する。図８において、切換部８３１１は、二次電池８２からハードウェア８１に電力を供給する（Ｓ７１）。この場合、二次電池８２からハードウェア８１に供給する電力は第１電力である。次に判断部８３１２は、印字データがあったか否かを判断する（Ｓ７２）。判断部８３１２は、通信回線８７から印字データ有を示す情報が入力された場合、印字データ有と判断する。印字データがあったと判断した場合（Ｓ７２のＹｅｓ）、次に判断部８３１２は、二次電池８２の出力電圧が基準電圧部８３１３に記憶されている基準電圧以上であるか否かを判断する（Ｓ７３）。基準電圧以上であると判断した場合（Ｓ７３のＹｅｓ）、電池残量判別回路８３１は、Ｓ７１に戻る。なお、印字データがないと判断した場合は（Ｓ７２のＮｏ）、判断部８３１２は、Ｓ７１に戻る。
【００４７】
一方、判断部８３１２が二次電池８２の出力電圧が基準電圧未満であると判断した場合は（Ｓ７３のＮｏ）、切換部８３１１は、二次電池８２からハードウェア８１に供給されている電力を停止する（Ｓ８１）。そして切換部８３１１は、非接触受電部８３からハードウェア８１に直接電力を供給する（Ｓ８２）。ここで切換部８３１１がハードウェア８１に供給する電力は第２電力である。
【００４８】
次に、判断部８３１２は、ハードウェア８１による印字が終了したか否かを判断する（Ｓ８３）。通信回線８７を介してハードウェア８１から印字終了信号を入力した場合、判断部８３１２は、ハードウェア８１による印字が終了したと判断する。判断部８３１２が、ハードウェア８１による印字が終了したと判断した場合（Ｓ８３のＹｅｓ）、切換部８３１１は、Ｓ８２で実行した非接触受電部８３からの電力の供給を停止する（Ｓ８４）。そして判断部８３１２は、Ｓ７１に戻る。また、ハードウェア８１による印字が終了していないと判断した場合（Ｓ８３のＮｏ）、判断部８３１２は、Ｓ８１に戻る。
【００４９】
次に、図９のフローチャートを用いて、第２実施形態における印字装置の制御処理の流れを説明する。図９において、Ｓ４１とＳ４２は、図６のＳ１２とＳ１３と同一の処理である。次に制御部８００は、二次電池８２から電力の供給があったか否かを判断する（Ｓ４３）。図８のＳ７３の判断結果に基づいて、二次電池８２または非接触受電部７３から電力が供給されるが、制御部８００は、この制御に基づいてＳ４３を判断する。
【００５０】
二次電池８２から電力が供給されていると判断した場合は（Ｓ４３のＹｅｓ）、制御部８００は、Ｓ４４〜Ｓ４６の処理（図６のＳ１５〜Ｓ１７の処理と同一処理）を実行する。また、二次電池８２から電力が供給されていないと判断した場合は（Ｓ４３のＮｏ）、制御部８００は、Ｓ５１〜Ｓ５３の処理（図６のＳ２３〜Ｓ２５の処理と同一処理）を実行する。そして制御部８００は、印字が終了したこと示す信号を、通信回線８７を介して電池残量判別回路８３１に送信する（Ｓ５４）。
【００５１】
また、Ｓ４１において印字データを受信していないと判断した場合は（Ｓ４１のＮｏ）、制御部８００は、Ｓ６１とＳ６２の処理（図６のＳ３１とＳ３２の処理と同一処理）を実行する。なお、Ｓ４４とＳ５１が印字制御手段８０２を構成し、Ｓ７１とＳ８２が電力制御手段８０１を構成する。
【００５２】
このような第２実施形態によれば、電池残量判別回路８３１は、二次電池８２の出力電圧が基準電圧部８１４３に記憶された基準電圧以上である場合には、二次電池に充電されている電力が充分であるとして、二次電池８２からハードウェア８１に第１電力を供給する。一方、電池残量判別回路８３１は、二次電池８２の出力電圧が基準電圧部８１４３に記憶された基準電圧未満である場合には、二次電池に充電されている電力が不足しているとして、非接触受電部８３から直接ハードウェア８１に第２電力を供給する。制御部８００は、二次電池８２からハードウェア８１に第１電力が供給された場合は、第１印字形態で印字を実行するように印字部８１７を制御する。また、制御部８００は、制御部８００は、非接触受電部８３からハードウェア８１に第２電力が供給された場合は、第２印字形態で印字を実行するように印字部８１７を制御する。そのため、制御部８００は、二次電池から供給する電力が不足した場合であっても、当該二次電池の出力電圧が基準電圧以上となるまで充電されることを待たずに印字処理を実行することができる。
【００５３】
以上、本発明の実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更、組み合わせを行うことができる。これらの実施形態やその変形は、発明の範囲や要旨に含まれるとともに、特許請求の範囲に記載された発明とその均等の範囲に含まれる。
【００５４】
例えば、第１実施形態および第２実施形態では、二次電池８２の出力電圧と基準電圧部８１４３に記憶された基準電圧を比較して、制御部８００は、二次電池８２に充電されている電力が充分であるか否かを判断した。しかしながら、制御部８００は、電圧以外の電力に関わる量（例えば電流の値）によって二次電池８２に充電されている電力が充分であるか否かを判断してもよい。
【００５５】
また、第１実施形態および第２実施形態では、第１印字形態を高速の印字、第２印字形態を低速の印字形態とした。しかしながら、要は第２印字形態が第１印字形態より消費電力が小さい印字形態であればよく、例えば、第２印字形態を第１印字形態より印字ドット数を間引いた印字形態としてもよい。
【００５６】
なお、実施形態の印字装置８０で実行されるプログラムは、インストール可能な形式または実行可能な形式のファイルでＣＤ−ＲＯＭ、フレキシブルディスク（FD）、ＣＤ−Ｒ、ＤＶＤ（Digital  Versatile  Disk）等のコンピュータで読み取り可能な記録媒体に記録されて提供される。
【００５７】
また、実施形態の印字装置８０で実行されるプログラムを、インターネット等のネットワークに接続されたコンピュータ上に格納し、ネットワーク経由でダウンロードさせることにより提供するように構成しても良い。また、実施形態の印字装置８０で実行されるプログラムをインターネット等のネットワーク経由で提供または配布するように構成しても良い。
【００５８】
また、実施形態の印字装置８０で実行されるプログラムを、ＲＯＭ等に予め組み込んで提供するように構成してもよい。
【符号の説明】
【００５９】
１  非接触給電システム
１０  ＰＯＳ端末
２７  用紙
８０  印字装置
８１  ハードウェア
８２  二次電池
８３  非接触受電部
８４  非接触給電器
８００  制御部
８０１  電力制御手段
８０２  印字制御手段
８１６  搬送部
８１７  印字部
８３１  電離残量判断回路
８３１１  切換部
８３１２  判断部
８３１３  基準電圧部
８１４３  基準電圧部
【先行技術文献】
【特許文献】
【００６０】
【特許文献１】特開２００９−１７２８９１号公報
【図１】
0006289386.tif 000002
【図２】
0006289386.tif 000003
【図３】
0006289386.tif 000004
【図４】
0006289386.tif 000005
【図５】
0006289386.tif 000006
【図６】
0006289386.tif 000007
【図７】
0006289386.tif 000008
【図８】
0006289386.tif 000009
【図９】
0006289386.tif 000010